(57)【要約】    ＜５のｐＨを有する酸性水性クレンジング配合物で使用するための沈降防止増粘ポリマーが提供され、ここで、沈降防止増粘ポリマーは、（ａ）Ｃ１−４アクリル酸アルキルの構造単位と、（ｂ）メタクリル酸の構造単位と、（ｃ）２−アクリルアミド−２−メチルプロパンスルホン酸（ＡＭＰＳ）の構造単位と、（ｄ）以下の構造（Ｉ）を有する特殊な関連モノマーの構造単位であって、式中、Ｒ１は直鎖飽和Ｃ１０−２４アルキル基であり、Ｒ２は水素またはメチルであり、ｎは平均２０〜２８である、特殊な関連モノマーの構造単位と、（ｅ）アクリル酸の構造単位と、（ｆ）多エチレン性不飽和架橋モノマーまたは連鎖移動剤の構造単位と、を含み、ここで、構造単位（ａ）〜（ｆ）の重量百分率の合計は、沈降防止増粘ポリマーの１００重量％に等しい。それを含有する酸性水性クレンジング配合物も提供される。  【化１】2021501812.tif 000016  【選択図】なし
2021501812.tif 000002
【特許請求の範囲】
【請求項１】
＜５のｐＨを有する酸性水性クレンジング配合物で使用するための沈降防止増粘ポリマーであって、
（ａ）４０〜７４．５重量％のＣ１−４アクリル酸アルキルの構造単位と、
（ｂ）２０〜５０重量％のメタクリル酸の構造単位と、
（ｃ）０．２〜＜５重量％の２−アクリルアミド−２−メチルプロパンスルホン酸（ＡＭＰＳ）の構造単位と、
（ｄ）５〜２５重量％の以下の構造を有する特殊な関連モノマーの構造単位であって、
【化１】
2021501812.tif 000015
式中、Ｒ１が直鎖飽和Ｃ１０−２４アルキル基であり、Ｒ２が水素またはメチルであり、ｎは平均２０〜２８であるが、但し、特殊な関連モノマーの構造単位（ｄ）が、（ｉ）単一の特殊な関連モノマー、（ｉｉ）Ｒ１がそれぞれ、直鎖飽和Ｃ１２および直鎖飽和Ｃ１８アルキル基である、２つの特殊な関連モノマー、または（ｉｉｉ）Ｒ１がそれぞれ、直鎖飽和Ｃ１８アルキル基および直鎖飽和Ｃ２２アルキル基である、２つの特殊な関連モノマーに由来していることを条件とする、特殊な関連モノマーの構造単位と、
（ｅ）０〜１重量％のアクリル酸の構造単位と、
（ｆ）０〜２重量％の多エチレン性不飽和架橋モノマーまたは連鎖移動剤の構造単位と、を含み、
構造単位（ａ）〜（ｆ）の重量百分率の合計は、沈降防止増粘ポリマーの１００重量％に等しい、沈降防止増粘ポリマー。
【請求項２】
前記沈降防止増粘ポリマーが、０．００１重量％未満の多エチレン性不飽和架橋モノマーの構造単位を含み、前記沈降防止増粘ポリマーが、０．１重量％未満の連鎖移動剤の構造単位を含み、前記沈降防止増粘ポリマーが、０．１重量％未満のアクリル酸の構造単位を含む、請求項１に記載の沈降防止増粘ポリマー。
【請求項３】
前記沈降防止増粘ポリマーが、２５，０００，０００〜３００，０００，０００ダルトンの重量平均分子量を有する、請求項２に記載の沈降防止増粘ポリマー。
【請求項４】
前記沈降防止増粘ポリマーが、
（ａ）５０〜６５重量％のアクリル酸エチルであるＣ１−４アクリル酸アルキルの構造単位と、
（ｂ）２５〜４０重量％のメタクリル酸の構造単位と、
（ｃ）０．７５〜２．０重量％の２−アクリルアミド−２−メチルプロパンスルホン酸（ＡＭＰＳ）の構造単位と、
（ｄ）１０〜２０重量％の特殊な関連モノマーの構造単位と、
（ｅ）０〜０．１重量％のアクリル酸の構造単位と、
（ｆ）０〜０．００１重量％の多エチレン性不飽和架橋モノマーまたは連鎖移動剤の構造単位と、を含む、請求項１に記載の沈降防止増粘ポリマー。
【請求項５】
酸性水性クレンジング配合物であって、
請求項１に記載の沈降防止増粘ポリマーと、
アニオン性、非イオン性、両性イオン性界面活性剤、およびそれらの混合物からなる群から選択される界面活性剤と、
少なくとも１つの不溶性添加剤と、を含み、
＜５のｐＨを有する、酸性水性クレンジング配合物。
【請求項６】
前記酸性水性クレンジング配合物が、３．７５〜４．７５のｐＨを有する、請求項５に記載の酸性水性クレンジング配合物。
【請求項７】
前記少なくとも１つの不溶性添加剤が、シリコーン、気泡、フケ防止剤、アーモンドミール、アプリコット種子粉末、大麦粉、トウモロコシ穂軸ミール、トウモロコシ穂軸粉末、コーン粉、コーンミール、コーンスターチ、オート麦ふすま、オート麦粉、オートミール、ピーチピット粉末、ピーカン殻粉末、ホホバ種子粉末、軽石、米ぬか、ライ麦粉、大豆粉、クルミ殻粉末、小麦ふすま、小麦粉、小麦スターチ、ルファ、粘土、フラー土、アルミナ、酸化アルミニウム、ケイ酸アルミニウム、パリゴルスカイト、オキシ塩化ビスマス、窒化ホウ素、炭酸カルシウム、リン酸カルシウム、ピロリン酸カルシウム、硫酸カルシウム、セルロースチョーク、キチン、珪藻土、リン酸二カルシウム、リン酸二カルシウム二水和物、水和シリカ、ヒドロキシアパタイト、カオリン、酸化鉄、三ケイ酸マグネシウム、酸化スズ、雲母、二酸化チタン、二酸化チタン被覆雲母、リン酸三カルシウムケイ酸ジルコニウム、微結晶セルロース、モンモリロナイト、ポリブチレン、ポリエチレン、ポリイソブチレン、ポリメチルスチレン、ポリプロピレン、ポリスチレン、ポリウレタン、ナイロン、ポリテトラフルオロエチレン、ポリハロゲン化オレフィン、ホホバ油の水素化生成物、ホホバ油のエステル交換生成物、絹雲母、シリカ、絹、重炭酸ナトリウム、ケイアルミン酸ナトリウム、合成ヘクトライト、タルク、ワックス、樹脂、およびそれらの混合物からなる群から選択される、請求項５に記載の酸性水性クレンジング配合物。
【請求項８】
前記少なくとも１つの不溶性添加剤が、シリコーンを含み、前記シリコーンが、不溶性の不揮発性の化粧品として許容されるシリコーンである、請求項５に記載の酸性水性クレンジング配合物。
【請求項９】
前記少なくとも１つの不溶性添加剤が、第１の不溶性添加剤および第２の不溶性添加剤を含み、前記第１の不溶性添加剤が、シリコーンであり、前記シリコーンが、不溶性の不揮発性の化粧品として許容されるシリコーンであり、前記第２の不溶性添加剤が、気泡、フケ防止剤、アーモンドミール、アプリコット種子粉末、大麦粉、トウモロコシ穂軸ミール、トウモロコシ穂軸粉末、コーン粉、コーンミール、コーンスターチ、オート麦ふすま、オート麦粉、オートミール、ピーチピット粉末、ピーカン殻粉末、ホホバ種子粉末、軽石、米ぬか、ライ麦粉、大豆粉、クルミ殻粉末、小麦ふすま、小麦粉、小麦スターチ、ルファ、粘土、フラー土、アルミナ、酸化アルミニウム、ケイ酸アルミニウム、パリゴルスカイト、オキシ塩化ビスマス、窒化ホウ素、炭酸カルシウム、リン酸カルシウム、ピロリン酸カルシウム、硫酸カルシウム、セルロースチョーク、キチン、珪藻土、リン酸二カルシウム、リン酸二カルシウム二水和物、水和シリカ、ヒドロキシアパタイト、カオリン、酸化鉄、三ケイ酸マグネシウム、酸化スズ、雲母、二酸化チタン、二酸化チタン被覆雲母、リン酸三カルシウムケイ酸ジルコニウム、微結晶セルロース、モンモリロナイト、ポリブチレン、ポリエチレン、ポリイソブチレン、ポリメチルスチレン、ポリプロピレン、ポリスチレン、ポリウレタン、ナイロン、ポリテトラフルオロエチレン、ポリハロゲン化オレフィン、ホホバ油の水素化生成物、ホホバ油のエステル交換生成物、絹雲母、シリカ、絹、重炭酸ナトリウム、ケイアルミン酸ナトリウム、合成ヘクトライト、タルク、ワックス、樹脂、およびそれらの混合物からなる群から選択される、請求項５に記載の酸性水性クレンジング配合物。
【請求項１０】
抗菌剤、起泡剤、香料、染料、着色剤、防腐剤、増粘剤、タンパク質、リン酸エステル、および緩衝剤のうちの少なくとも１つからなる群から選択される任意の成分をさらに含む、請求項９に記載の酸性水性クレンジング配合物。
【発明の詳細な説明】
【技術分野】
【０００１】
本発明は、酸性水性クレンジング配合物で使用するための沈降防止増粘ポリマーおよびそれを含有する酸性水性クレンジング配合物に関する。特に、本発明は、＜５のｐＨを有する酸性水性クレンジング配合物で使用するための沈降防止増粘ポリマーおよびそれを含有する酸性水性クレンジング配合物に関し、ここで、沈降防止増粘ポリマーは、（ａ）Ｃ１−４アクリル酸アルキルの構造単位と、（ｂ）メタクリル酸の構造単位と、（ｃ）２−アクリルアミド−２−メチルプロパンスルホン酸（ＡＭＰＳ）の構造単位と、（ｄ）以下の構造を有する特殊な関連モノマーの構造単位であって、
【化１】
2021501812.tif 000003
式中、Ｒ１は直鎖飽和Ｃ１０−２４アルキル基であり、Ｒ２は水素またはメチル基であり、ｎは平均２０〜２８であるが、但し、特殊な関連モノマーの構造単位（ｄ）が、（ｉ）単一の特殊な関連モノマー、（ｉｉ）Ｒ１がそれぞれ、直鎖飽和Ｃ１２および直鎖飽和Ｃ１８アルキル基である、２つの特殊な関連モノマー、または（ｉｉｉ）Ｒ１がそれぞれ、直鎖飽和Ｃ１８アルキル基および直鎖飽和Ｃ２２アルキル基である、２つの特殊な関連モノマーのうちの１つに由来していることを条件とする、特殊な関連モノマーの構造単位と、（ｅ）アクリル酸の構造単位と、（ｆ）多エチレン性不飽和架橋モノマーまたは連鎖移動剤の構造単位と、を含み、ここで、構造単位（ａ）〜（ｆ）の重量百分率の合計は、１００％に等しい。
【０００２】
懸濁不溶性材料を有する水性クレンジング組成物は、様々な従来の用途（例えば、ボディウォッシュ、シャンプー、およびコンディショナーなどのパーソナルケア配合物）に望ましい。不溶性材料は、典型的には、クレンジング組成物に組み込まれたときに、摩耗、視覚的な製品の審美性、様々な能動的効果（例えば、フケ防止特性）、および使用中の別個の相の封入／放出など、ある特定のユーザーの利益を与えるか、またはそれに貢献する。消費者に許容されるためには、そのような水性クレンジング組成物は、魅力的な外観および感触の両方を示すことが望ましい。しかし、そのような懸濁液は、家庭およびパーソナルケア用途における洗い流し用途のための複雑な水性クレンジング配合物において、特に低ｐＨ酸性条件下で、重大な課題を提示する。
【０００３】
水性クレンジング組成物に懸濁される不溶性材料の組み込みに関連する利点にもかかわらず、それらの組み込みは、様々な複雑化を引き起こす。例えば、不溶性材料は、典型的には、組成物の連続相とは異なる密度を有する。この密度の不一致により、組成が不安定になる可能性がある。連続相の密度より低い密度を有する不溶性材料を含有する系では、不溶性材料は、連続相の上面に浮く傾向がある（すなわち、クリーミング）。連続相の密度より大きい密度を有する不溶性材料を含有する系では、不溶性材料は、連続相の底に沈む傾向がある（すなわち、沈降）。様々な水性クレンジング組成物（例えば、皮膚への適用を意図したパーソナルケア配合物）に懸濁される不溶性材料の望ましい取り込みに関連する複雑化をさらに悪化させるように、これらの組成物の多くは、望ましくは低ｐＨ（例えば、＜５）で提供される。その結果、従来の沈降防止増粘ポリマーは、そのような低ｐＨ組成物に十分な安定性を提供できない。
【０００４】
水性クレンジング配合物における不溶性材料の懸濁に対する手法は、ＬａＰｅｔｉｎａらへの米国特許第５，１５４，８４７号に開示されている。ＬａＰｅｎｔｉｎａらは、約５重量％〜約２０重量％の量のアニオン性界面活性剤と、約０．２重量％〜約５重量％の量の粒子状フケ防止剤と、約１重量％〜約３重量％の量の懸濁アルカノールアミド、ワックスエステル、およびそれらの混合物からなる群から選択される室温で固体の水不溶性懸濁剤と、約０．３重量％〜約１重量％の量の架橋中和ポリアクリル酸樹脂と、液体担体と、を含むフケ防止シャンプーを開示している。
【０００５】
水性クレンジング配合物における不溶性材料の懸濁に対する別の手法は、Ｓｏｕｚｙらへの米国特許第８，６４２，０５６号に開示されている。Ｓｏｕｚｙらは、化粧品配合物をポリマーの直接水性乳濁液と接触させ、続いてｐＨを５〜７の値に調整し、それにより、増粘配合物を形成することを含む、配合物を増粘するための方法を開示しており、ここで、乳濁液が界面活性剤、および水以外の有機溶媒を含まず、ポリマーは、その中のモノマーの各々の重量％として表すと、ａ）２０％〜６０重量％のメタクリル酸および／またはアクリル酸であって、ここで、アクリル酸が存在する場合の重量％は、アクリル酸とメタクリル酸との合計重量と比較すると少なくとも５０％である、メタクリル酸および／またはアクリル酸と、ｂ）４０％〜８０重量％のアクリル酸エチル、アクリル酸ブチル、およびメタクリル酸メチルから選択される少なくとも１つのモノマーと、ｃ）０．５〜２５重量％の疎水性基を含むモノマーと、ｄ）０．０５〜２２重量％の２−アクリルアミド−２−メチルプロパンスルホン酸と、ｅ）０〜１重量％の少なくとも１つの架橋モノマーと、からなり、ここで、疎水性基を含むモノマーは、一般式を有し、
Ｒ−（ＯＥ）ｍ−（ＯＰ）ｎ−Ｒ’
式中、ｍおよびｎは、１５０以下の整数であり、これらのうちの少なくとも１つは、ゼロではなく、ＯＥおよびＯＰはそれぞれ、エチレンオキシドおよびプロピレンオキシドであり、Ｒは、メタクリレートおよびメタクリルウレタン基からなる群から選択される重合性基であり、Ｒ’は、少なくとも６個〜最大３６個の炭素原子を有する疎水性基である。
【０００６】
水性クレンジング配合物における不溶性材料の懸濁に対する別の手法は、Ｈｉｔｃｈｅｎへの米国特許第６，１０６，８１６号に開示されている。Ｈｉｔｃｈｅｎは、水に加えて、（ａ）２〜４０重量％のアニオン性、非イオン性、および両性界面活性剤、ならびにそれらの混合物からなる群から選択される界面活性剤と、（ｂ）０．０１〜１０重量％の髪を整調する不溶性の不揮発性シリコーンと、（ｃ）０．０１〜３重量％のシャンプーマトリックス中に分散された二酸化チタン被覆雲母粒子と、（ｄ）分散された二酸化チタン被覆雲母粒子を懸濁させ、それらが組成物中に沈降し、かつ立位で不溶性の不揮発性シリコーン整調剤が組成物の上部にクリーミングするのを防ぐための０．２〜３重量％の架橋アクリル酸ポリマーと、を含む水性整調シャンプー組成物を開示している。
【０００７】
それにもかかわらず、＜５のｐＨを有し、かつ不溶性材料を組み込んだ酸性水性クレンジング配合物で使用するための沈降防止増粘ポリマーが引き続き必要とされており、ここで、沈降防止増粘ポリマーは、組み込まれた不溶性材料を懸濁液中に維持し、酸性水性クレンジング配合物はまた、望ましいレオロジーおよび美的特性を示す。
【０００８】
本発明は、＜５のｐＨを有する酸性水性クレンジング配合物で使用するための沈降防止増粘ポリマーを提供し、ここで、沈降防止増粘ポリマーは、（ａ）４０〜７４．５重量％のＣ１−４アクリル酸アルキルの構造単位と、（ｂ）２０〜５０重量％のメタクリル酸の構造単位と、（ｃ）０．２〜＜５重量％の２−アクリルアミド−２−メチルプロパンスルホン酸（ＡＭＰＳ）の構造単位と、（ｄ）５〜２５重量％の以下の構造を有する特殊な関連モノマーの構造単位であって、
【化２】
2021501812.tif 000004
式中、Ｒ１は直鎖飽和Ｃ１０−２４アルキル基であり、Ｒ２は水素またはメチル基であり（好ましくは、Ｒ２はメチル基である）、ｎは平均２０〜２８であるが、但し、特殊な関連モノマーの構造単位（ｄ）が、（ｉ）単一の特殊な関連モノマー（好ましくは、Ｒ１が直鎖飽和Ｃ１２アルキル基、直鎖飽和Ｃ１８アルキル基、および直鎖飽和Ｃ２２アルキル基からなる群から選択される、単一の特殊な関連モノマー、より好ましくは、Ｒ１が直鎖飽和Ｃ１２アルキル基および直鎖飽和Ｃ１８アルキル基からなる群から選択される、単一の特殊な関連モノマー）、（ｉｉ）Ｒ１がそれぞれ、直鎖飽和Ｃ１２および直鎖飽和Ｃ１８アルキル基である、２つの特殊な関連モノマー、または（ｉｉｉ）Ｒ１がそれぞれ、直鎖飽和Ｃ１８アルキル基および直鎖飽和Ｃ２２アルキル基である、２つの特殊な関連モノマーのうちの１つに由来していることを条件とする、特殊な関連モノマーの構造単位と、（ｅ）０〜１重量％のアクリル酸の構造単位と、（ｆ）０〜２重量％の多エチレン性不飽和架橋モノマーまたは連鎖移動剤の構造単位と、を含み、ここで、構造単位（ａ）〜（ｆ）の重量百分率の合計は、沈降防止増粘ポリマーの１００重量％に等しい。
【０００９】
本発明は、本発明の沈降防止増粘ポリマーと、アニオン性界面活性剤、非イオン性界面活性剤、両性イオン性界面活性剤、およびそれらの混合物からなる群から選択される界面活性剤と、少なくとも１つの不溶性添加剤と、を含む酸性水性クレンジング配合物を提供し、ここで、酸性水性クレンジング配合物は、＜５のｐＨを有する。
【００１０】
本発明は、本発明の沈降防止増粘ポリマーと、アニオン性、非イオン性、両性イオン性界面活性剤、およびそれらの混合物からなる群から選択される界面活性剤と、少なくとも１つの不溶性添加剤と、を含む酸性水性クレンジング配合物を提供し、ここで、少なくとも１つの不溶性添加剤は、シリコーン、気泡、フケ防止剤、アーモンドミール、アプリコット種子粉末、大麦粉、トウモロコシ穂軸ミール、トウモロコシ穂軸粉末、コーン粉、コーンミール、コーンスターチ、オート麦ふすま、オート麦粉、オートミール、ピーチピット粉末、ピーカン殻粉末、ホホバ種子粉末、軽石、米ぬか、ライ麦粉、大豆粉、クルミ殻粉末、小麦ふすま、小麦粉、小麦スターチ、ルファ、粘土、フラー土、アルミナ、酸化アルミニウム、ケイ酸アルミニウム、パリゴルスカイト、オキシ塩化ビスマス、窒化ホウ素、炭酸カルシウム、リン酸カルシウム、ピロリン酸カルシウム、硫酸カルシウム、セルロースチョーク、キチン、珪藻土、リン酸二カルシウム、リン酸二カルシウム二水和物、水和シリカ、ヒドロキシアパタイト、カオリン、酸化鉄、三ケイ酸マグネシウム、酸化スズ、雲母、二酸化チタン、二酸化チタン被覆雲母、リン酸三カルシウムケイ酸ジルコニウム、微結晶セルロース、モンモリロナイト、ポリブチレン、ポリエチレン、ポリイソブチレン、ポリメチルスチレン、ポリプロピレン、ポリスチレン、ポリウレタン、ナイロン、ポリテトラフルオロエチレン、ポリハロゲン化オレフィン、ホホバ油の水素化生成物、ホホバ油のエステル交換生成物、絹雲母、シリカ、絹、重炭酸ナトリウム、ケイアルミン酸ナトリウム、合成ヘクトライト、タルク、ワックス、樹脂、およびそれらの混合物からなる群から選択され、ここで、酸性水性クレンジング配合物は、＜５のｐＨを有する。
【発明を実施するための形態】
【００１１】
本明細書で記載されるような沈降防止増粘ポリマーが、＜５のｐＨを有し、かつクレンジング配合物の粘度、泡立ち、または洗浄特性を悪化させることなく、不特定の期間にわたって水溶液中に不溶性添加剤の均一な分散を有する酸性水性クレンジング配合物の配合を促進することが見出された。さらに、本明細書に記載の沈降防止増粘ポリマーは、＜５のｐＨを有し、かつ不特定の期間にわたって、不溶性添加剤および不溶性の不揮発性の化粧品として許容されるシリコーンの両方の均一な分散を有する酸性水性クレンジング配合物の配合を促進し、ここで、本発明の沈降防止増粘ポリマーは、不溶性の不揮発性の化粧品として許容されるシリコーンが配合物の上面に上昇すること、および不溶性添加剤が配合物の上面に上昇するかまたは配合物に沈澱することを同時に阻害する。
【００１２】
他に示されない限り、比率、パーセンテージ、部などは、重量による。
【００１３】
本明細書で使用される場合、特に明記しない限り、「分子量」またはＭｗという語句は、インライン多角度光散乱（ＭＡＬＳ）および微分屈折率（ＲＩ）検出で非対称フローフィールドフローフラクショネーション（ＡＦ４）を使用して測定される場合の重量平均分子量を指す。使用したＡＦ４装置は、１８角の多角度光散乱（ＭＡＬＳ）検出器（ＤＡＷＮ  ＨＥＬＯＳ  ＩＩ、Ｗｙａｔｔ  Ｔｅｃｈｎｏｌｏｇｙ  Ｃｏｒｐ．製）および示差屈折計（ＲＩ）（Ｏｐｔｉｌａｂ  ｒＥＸ、Ｗｙａｔｔ  Ｔｅｃｈｎｏｌｏｇｙ  Ｃｏｒｐ．製）と直列に接続されたＥｃｌｉｐｓｅ（商標）ＤｕａｌＴｅｃ（商標）分離システム（Ｗｙａｔｔ  Ｔｅｃｈｎｏｌｏｇｙ  Ｃｏｒｐ．製）で構成された。ＡＦ４装置を通るフローは、マイクロ真空脱ガス装置を装備したＡｇｉｌｅｎｔ  Ｔｅｃｈｎｏｌｏｇｉｅｓ１２００シリーズアイソクラティックポンプを使用して提供された。全ての注入を、オートサンプラー（Ａｇｉｌｅｎｔ  Ｔｅｃｈｎｏｌｏｇｉｅｓ１２００シリーズ）を用いて実行した。ＡＦ４装置からのデータを、Ａｓｔｒａソフトウェアバージョン７．０．１．２３（Ｗｙａｔｔ  Ｔｅｃｈｎｏｌｏｇｙ  Ｃｏｒｐ．製）を使用して収集および処理した。試料を、ｐＨ１０の２０ｍＭ酢酸アンモニウム溶液に１ｍｇ／ｍＬの濃度で調製した（１．２μｍの細孔ナイロン膜でろ過した）。試料（２５μＬ）を、チャネル厚が３５０μｍで、１０ｋＤＡカットオフ再生セルロース限外ろ過膜（Ｗｙａｔｔ  Ｔｅｃｈｎｏｌｏｇｙ）を装備した標準の分離チャネルシステム（２５ｃｍの長さ、および幅寸法は２．１５ｃｍから始まり、長さ全体で０．３ｃｍに低減する）に注入した。ＡＦ４分析に使用した移動相は、ｐＨ１０の２０ｍＭ酢酸アンモニウム溶液であった。分離を１ｍＬ／分の適用チャネルフローで実行した。試料を１．７ｍＬ／分のフォーカスフローで３分間チャネルに導入した。次いで、溶出フローは０．５ｍＬ／分で３分間開始し、続いて、クロスフロー勾配が直線的に（１２分間で０．５ｍＬ／分から０．０５ｍＬ／分まで）減少し、次いで、０．０５ｍＬ／分でさらに５分間保持された。Ｂｅｒｒｙモデルの２次近似によるすべての計算について屈折率の増分（ｄｎ／ｄｃ）が０．１９０ｍＬ／ｇのブランク注入を差し引いた後、Ａｓｔｒａソフトウェアバージョン７．０．１．２３を使用して平均分子量を計算した。分子量は、本明細書ではダルトンの単位で報告される。
【００１４】
本明細書および添付の特許請求の範囲で使用される用語「ポリマー」は、同じまたは異なる種類のモノマーを重合することにより調製された化合物を指す。一般的な用語「ポリマー」には、用語「ホモポリマー」、「コポリマー」、および「ターポリマー」が含まれる。
【００１５】
ポリマー中のモノマー単位の百分率は、固形またはニートモノマー重量の百分率であり、すなわち、ポリマー乳濁液中に存在する一切の水を排除している。
【００１６】
本明細書および添付で使用される用語「化粧品として許容される」は、パーソナルケア組成物に典型的に使用される成分を指し、パーソナルケア組成物およびヘアケア組成物中に典型的に見られる量で存在する場合に有毒な材料は、本発明の一部として企図されないことを強調することが意図されている。
【００１７】
本明細書および添付の特許請求の範囲で使用される用語「構造単位」は、示されたモノマーの残りを指し、したがって、アクリル酸エチルの構造単位は、以下の式のように例示され、
【化３】
2021501812.tif 000005
式中、点線は、ポリマー骨格への結合点を表す。
【００１８】
不溶性添加剤に関して本明細書および添付の特許請求の範囲で使用される用語「不溶性」は、添加剤が本発明の酸性水性クレンジング配合物に本質的に不溶であることを意味する。特に、不溶性添加剤は、２５℃の酸性水性クレンジング配合物１００グラム当たり１グラム未満（好ましくは１００グラム当たり０．５グラム未満、より好ましくは１００グラムに対して０．１グラム）の溶解度を有する。
【００１９】
酸性水性クレンジング配合物に関して本明細書および添付の特許請求の範囲で使用される用語「美的特性」は、視覚的および触覚的感覚特性（例えば、滑らかさ、粘着性、潤滑性、質感、色、透明度、濁度、均一性）を指す。
【００２０】
酸性水性クレンジング配合物に関して本明細書および添付の特許請求の範囲で使用される用語「水性」は、配合物が、配合物に組み込まれた沈降防止増粘ポリマーを膨潤または溶解するのに十分な量の水を含有することを意味する。
【００２１】
好ましくは、＜５（好ましくは、３．０〜４．９、より好ましくは、３．５〜４．８、最も好ましくは、３．７５〜４．７５）のｐＨを有する酸性水性クレンジング配合物で使用するための本発明の沈降防止増粘ポリマーは、（ａ）４０〜７４．５重量％（好ましくは、４５〜６９．５重量％、より好ましくは、５０〜６５重量％、最も好ましくは、５５〜６１重量％）のＣ１−４アクリル酸アルキル（好ましくは、Ｃ２−４アクリル酸アルキル、より好ましくは、Ｃ２−３アクリル酸アルキル、最も好ましくは、アクリル酸エチル）の構造単位と、（ｂ）２０〜５０重量％（好ましくは、２５〜４５重量％、より好ましくは、２５〜４０重量％、最も好ましくは、３０〜３５重量％）のメタクリル酸の構造単位と、（ｃ）０．２〜＜５重量％（好ましくは、０．５〜３重量％、より好ましくは、０．７５〜２．０重量％、最も好ましくは、０．７５〜１．５重量％）の２−アクリルアミド−２−メチルプロパンスルホン酸（ＡＭＰＳ）の構造単位と、（ｄ）５〜２５重量％（好ましくは、７．５〜２２．５重量％、より好ましくは、１０〜２０重量％、最も好ましくは、１２．５〜１８重量％）の以下の構造を有する特殊な関連モノマーの構造単位であって、
【化４】
2021501812.tif 000006
式中、Ｒ１は直鎖飽和Ｃ１０−２４アルキル基であり、Ｒ２は水素またはメチル基であり（好ましくは、Ｒ２はメチル基である）、ｎは平均２０〜２８であるが、但し、特殊な関連モノマーの構造単位（ｄ）が、（ｉ）単一の特殊な関連モノマー（好ましくは、Ｒ１が直鎖飽和Ｃ１２アルキル基、直鎖飽和Ｃ１８アルキル基、および直鎖飽和Ｃ２２アルキル基からなる群から選択される、単一の特殊な関連モノマー、より好ましくは、Ｒ１が直鎖飽和Ｃ１２アルキル基および直鎖飽和Ｃ１８アルキル基からなる群から選択される、単一の特殊な関連モノマー）、（ｉｉ）Ｒ１がそれぞれ、直鎖飽和Ｃ１２および直鎖飽和Ｃ１８アルキル基である、２つの特殊な関連モノマー、または（ｉｉｉ）Ｒ１がそれぞれ、直鎖飽和Ｃ１８アルキル基および直鎖飽和Ｃ２２アルキル基である、２つの特殊な関連モノマーのうちの１つに由来していることを条件とする、特殊な関連モノマーの構造単位と、（ｅ）０〜１重量％（好ましくは、０〜０．１重量％、より好ましくは、０〜０．０１重量％、最も好ましくは、０）のアクリル酸の構造単位と、（ｆ）０〜２重量％（好ましくは、０〜０．１重量％、より好ましくは、０〜０．００１重量％、最も好ましくは、０重量％）の多エチレン性不飽和架橋モノマーおよび連鎖移動剤の構造単位と、を含み、ここで、構造単位（ａ）〜（ｆ）の重量百分率の合計は、沈降防止増粘ポリマーの１００重量％に等しい。
【００２２】
好ましくは、本発明の沈降防止増粘ポリマーは、（ａ）５０〜６５重量％のアクリル酸エチルの構造単位と、（ｂ）２５〜４０重量％のメタクリル酸の構造単位と、（ｃ）０．７５〜２．０重量％の２−アクリルアミド−２−メチルプロパンスルホン酸（ＡＭＰＳ）の構造単位と、（ｄ）１０〜２０重量％の特殊な関連モノマーの構造単位と、（ｅ）０〜０．１重量％のアクリル酸の構造単位と、（ｆ）０〜０．１重量％（好ましくは、０〜０．００１重量％、より好ましくは、０重量％）の多エチレン性不飽和架橋モノマーおよび連鎖移動剤の構造単位と、を含み、ここで、構造単位（ａ）〜（ｆ）の重量百分率の合計は、沈降防止増粘ポリマーの１００重量％に等しい。
【００２３】
好ましくは、本発明の沈降防止増粘ポリマーは、５，０００，０００〜４００，０００，０００ダルトンの重量平均分子量を有する。より好ましくは、本発明の沈降防止増粘ポリマーは、２５，０００，０００〜３００，０００，０００ダルトンの重量平均分子量を有する。最も好ましくは、本発明の沈降防止増粘ポリマーは、１７５，０００，０００〜２７５，０００，０００ダルトンの重量平均分子量を有する。
【００２４】
好ましくは、本発明の沈降防止増粘ポリマー中のＣ１−４アクリル酸アルキルの構造単位は、Ｃ２−４アクリル酸アルキルの構造単位である。より好ましくは、本発明の沈降防止増粘ポリマー中のＣ１−４アクリル酸アルキルの構造単位は、Ｃ２−３アクリル酸アルキルの構造単位である。最も好ましくは、本発明の沈降防止増粘ポリマー中のＣ１−４アクリル酸アルキルの構造単位は、アクリル酸エチルの構造単位である。
【００２５】
好ましくは、本発明の沈降防止増粘ポリマーは、４０〜７４．５重量％のＣ１−４アクリル酸アルキル（好ましくは、Ｃ２−４アクリル酸アルキル、より好ましくは、Ｃ２−３アクリル酸アルキル、最も好ましくは、アクリル酸エチル）の構造単位を含む。より好ましくは、本発明の沈降防止増粘ポリマーは、４５〜６９．５重量％のＣ１〜４アクリル酸アルキル（好ましくは、Ｃ２−４アクリル酸アルキル、より好ましくは、Ｃ２−３アクリル酸アルキル、最も好ましくは、アクリル酸エチル）の構造単位を含む。さらにより好ましくは、本発明の沈降防止増粘ポリマーは、５０〜６５重量％のＣ１〜４アクリル酸アルキル（好ましくは、Ｃ２−４アクリル酸アルキル、より好ましくは、Ｃ２−３アクリル酸アルキル、最も好ましくは、アクリル酸エチル）の構造単位を含む。最も好ましくは、本発明の沈降防止増粘ポリマーは、５５〜６１重量％のＣ１〜４アクリル酸アルキル（好ましくは、Ｃ２−４アクリル酸アルキル、より好ましくは、Ｃ２−３アクリル酸アルキル、最も好ましくは、アクリル酸エチル）の構造単位を含む。
【００２６】
好ましくは、本発明の沈降防止増粘ポリマーは、２０〜５０重量％のメタクリル酸の構造単位を含む。より好ましくは、本発明の沈降防止増粘ポリマーは、２５〜４５重量％のメタクリル酸の構造単位を含む。さらにより好ましくは、本発明の沈降防止増粘ポリマーは、２５〜４０重量％のメタクリル酸の構造単位を含む。最も好ましくは、本発明の沈降防止増粘ポリマーは、３０〜３５重量％のメタクリル酸の構造単位を含む。
【００２７】
好ましくは、本発明の沈降防止増粘ポリマーは、０．２〜＜５重量％の２−アクリルアミド−２−メチルプロパンスルホン酸（ＡＭＰＳ）の構造単位を含む。より好ましくは、本発明の沈降防止増粘ポリマーは、０．５〜３重量％の２−アクリルアミド−２−メチルプロパンスルホン酸（ＡＭＰＳ）の構造単位を含む。さらにより好ましくは、本発明の沈降防止増粘ポリマーは、０．７５〜２．０重量％の２−アクリルアミド−２−メチルプロパンスルホン酸（ＡＭＰＳ）の構造単位を含む。最も好ましくは、本発明の沈降防止増粘ポリマーは、０．７５〜１．５重量％の２−アクリルアミド−２−メチルプロパンスルホン酸（ＡＭＰＳ）の構造単位を含む。
【００２８】
好ましくは、本発明の沈降防止増粘ポリマーは、５〜２５重量％の以下の構造を有する特殊な関連モノマーの構造単位を含み、
【化５】
2021501812.tif 000007
式中、Ｒ１は直鎖飽和Ｃ１０−２４アルキル基であり、Ｒ２は水素またはメチル基であり（好ましくは、Ｒ２はメチル基である）、ｎは平均２０〜２８であるが、但し、特殊な関連モノマーの構造単位（ｄ）が、（ｉ）単一の特殊な関連モノマー（好ましくは、Ｒ１が直鎖飽和Ｃ１２アルキル基、直鎖飽和Ｃ１８アルキル基、および直鎖飽和Ｃ２２アルキル基からなる群から選択される、単一の特殊な関連モノマー、より好ましくは、Ｒ１が直鎖飽和Ｃ１２アルキル基および直鎖飽和Ｃ１８アルキル基からなる群から選択される、単一の特殊な関連モノマー）、（ｉｉ）Ｒ１がそれぞれ、直鎖飽和Ｃ１２および直鎖飽和Ｃ１８アルキル基である、２つの特殊な関連モノマー、または（ｉｉｉ）Ｒ１がそれぞれ、直鎖飽和Ｃ１８アルキル基および直鎖飽和Ｃ２２アルキル基である、２つの特殊な関連モノマーのうちの１つに由来していることを条件とする。より好ましくは、本発明の沈降防止増粘ポリマーは、７．５〜２２．５重量％の以下の構造を有する特殊な関連モノマーの構造単位を含み、
【化６】
2021501812.tif 000008
式中、Ｒ１は直鎖飽和Ｃ１０−２４アルキル基であり、Ｒ２は水素またはメチル基であり（好ましくは、Ｒ２はメチル基である）、ｎは平均２０〜２８であるが、但し、特殊な関連モノマーの構造単位（ｄ）が、（ｉ）単一の特殊な関連モノマー（好ましくは、Ｒ１が直鎖飽和Ｃ１２アルキル基、直鎖飽和Ｃ１８アルキル基、および直鎖飽和Ｃ２２アルキル基からなる群から選択される、単一の特殊な関連モノマー、より好ましくは、Ｒ１が直鎖飽和Ｃ１２アルキル基および直鎖飽和Ｃ１８アルキル基からなる群から選択される、単一の特殊な関連モノマー）、（ｉｉ）Ｒ１がそれぞれ、直鎖飽和Ｃ１２および直鎖飽和Ｃ１８アルキル基である、２つの特殊な関連モノマー、または（ｉｉｉ）Ｒ１がそれぞれ、直鎖飽和Ｃ１８アルキル基および直鎖飽和Ｃ２２アルキル基である、２つの特殊な関連モノマーのうちの１つに由来していることを条件とする。さらにより好ましくは、本発明の沈降防止増粘ポリマーは、１０〜２０重量％の以下の構造を有する特殊な関連モノマーの構造単位を含み、
【化７】
2021501812.tif 000009
式中、Ｒ１は直鎖飽和Ｃ１０−２４アルキル基であり、Ｒ２は水素またはメチル基であり（好ましくは、Ｒ２はメチル基である）、ｎは平均２０〜２８であるが、但し、特殊な関連モノマーの構造単位（ｄ）が、（ｉ）単一の特殊な関連モノマー（好ましくは、Ｒ１が直鎖飽和Ｃ１２アルキル基、直鎖飽和Ｃ１８アルキル基、および直鎖飽和Ｃ２２アルキル基からなる群から選択される、単一の特殊な関連モノマー、より好ましくは、Ｒ１が直鎖飽和Ｃ１２アルキル基および直鎖飽和Ｃ１８アルキル基からなる群から選択される、単一の特殊な関連モノマー）、（ｉｉ）Ｒ１がそれぞれ、直鎖飽和Ｃ１２および直鎖飽和Ｃ１８アルキル基である、２つの特殊な関連モノマー、または（ｉｉｉ）Ｒ１がそれぞれ、直鎖飽和Ｃ１８アルキル基および直鎖飽和Ｃ２２アルキル基である、２つの特殊な関連モノマーのうちの１つに由来していることを条件とする。最も好ましくは、本発明の沈降防止増粘ポリマーは、１２．５〜１８重量％以下の構造を有する特殊な関連モノマーの構造単位を含み、
【化８】
2021501812.tif 000010
式中、Ｒ１は直鎖飽和Ｃ１０−２４アルキル基であり、Ｒ２は水素またはメチル基であり（好ましくは、Ｒ２はメチル基である）、ｎは平均２０〜２８であるが、但し、特殊な関連モノマーの構造単位（ｄ）が、（ｉ）単一の特殊な関連モノマー（好ましくは、Ｒ１が直鎖飽和Ｃ１２アルキル基、直鎖飽和Ｃ１８アルキル基、および直鎖飽和Ｃ２２アルキル基からなる群から選択される、単一の特殊な関連モノマー、より好ましくは、Ｒ１が直鎖飽和Ｃ１２アルキル基および直鎖飽和Ｃ１８アルキル基からなる群から選択される、単一の特殊な関連モノマー）、（ｉｉ）Ｒ１がそれぞれ、直鎖飽和Ｃ１２および直鎖飽和Ｃ１８アルキル基である、２つの特殊な関連モノマー、または（ｉｉｉ）Ｒ１がそれぞれ、直鎖飽和Ｃ１８アルキル基および直鎖飽和Ｃ２２アルキル基である、２つの特殊な関連モノマーのうちの１つに由来していることを条件とする。
【００２９】
好ましくは、本発明の沈降防止増粘ポリマーは、０〜１重量％のアクリル酸の構造単位を含む。より好ましくは、本発明の沈降防止増粘ポリマーは、０〜０．１重量％のアクリル酸の構造単位を含む。さらにより好ましくは、本発明の沈降防止増粘ポリマーは、０〜０．０１重量％のアクリル酸の構造単位を含有する。まださらにより好ましくは、本発明の沈降防止増粘ポリマーは、検出限界未満のアクリル酸の構造単位を含む。最も好ましくは、本発明の沈降防止増粘ポリマーは、０重量％のアクリル酸の構造単位を含有する。
【００３０】
好ましくは、本発明の沈降防止増粘ポリマーは、０〜２重量％の多エチレン性不飽和架橋モノマーおよび連鎖移動剤の構造単位を含む。より好ましくは、本発明の沈降防止増粘ポリマーは、０〜０．１重量％の多エチレン性不飽和架橋モノマーおよび連鎖移動剤の構造単位を含む。さらにより好ましくは、本発明の沈降防止増粘ポリマーは、０〜０．００１重量％の多エチレン性不飽和架橋モノマーおよび連鎖移動剤の構造単位を含む。まださらにより好ましくは、本発明の沈降防止増粘ポリマーは、検出限界未満の多エチレン性不飽和架橋モノマーおよび連鎖移動剤の構造単位を含む。最も好ましくは、本発明の沈降防止増粘ポリマーは、０重量％の多エチレン性不飽和架橋モノマーおよび連鎖移動剤の構造単位を含有する。
【００３１】
好ましくは、本発明の沈降防止増粘ポリマーは、０．００１重量％未満の多エチレン性不飽和架橋モノマーの構造単位を含む。より好ましくは、本発明の沈降防止増粘ポリマーは、０．０００１重量％未満の多エチレン性不飽和架橋モノマーの構造単位を含む。さらにより好ましくは、本発明の沈降防止増粘ポリマーは、検出限界未満の多エチレン性不飽和架橋モノマーの構造単位を含有する。最も好ましくは、本発明の沈降防止増粘ポリマーは、０重量％の多エチレン性不飽和架橋モノマーの構造単位を含む。
【００３２】
好ましくは、本発明の沈降防止増粘ポリマーは、０．１重量％未満の連鎖移動剤の構造単位を含む。より好ましくは、本発明の沈降防止増粘ポリマーは、０．００１重量％未満の連鎖移動剤の構造単位を含む。さらにより好ましくは、本発明の沈降防止増粘ポリマーは、検出限界未満の連鎖移動剤の構造単位を含有する。最も好ましくは、本発明の沈降防止増粘ポリマーは、０重量％の連鎖移動剤の構造単位を含む。
【００３３】
好ましくは、本発明の沈降防止増粘ポリマーは、０．００１重量％未満の多エチレン性不飽和架橋モノマーの構造単位および０．１重量％未満の連鎖移動剤の構造単位を含む。より好ましくは、本発明の沈降防止増粘ポリマーは、０．０００１重量％未満の多エチレン性不飽和架橋モノマーの構造単位および０．０１重量％未満の連鎖移動剤の構造単位を含む。さらにより好ましくは、本発明の沈降防止増粘ポリマーは、検出限界未満の多エチレン性不飽和架橋モノマーの構造単位および検出限界未満の連鎖移動剤の構造単位を含有する。最も好ましくは、本発明の沈降防止増粘ポリマーは、０重量％の多エチレン性不飽和架橋モノマーの構造単位を含み、０重量％の連鎖移動剤の構造単位を含む。
【００３４】
当業者は、本発明の沈降防止増粘ポリマーにおいて多エチレン性不飽和架橋モノマーの任意の構造単位を提供するための適切な多エチレン性不飽和架橋モノマーを選択することを知っているであろう。多エチレン性不飽和架橋モノマーの構造単位は、例えば、多価不飽和芳香族モノマー（例えば、ジビニルベンゼン、ジビニルナフタレン、トリビニルベンゼン）、多価不飽和脂環式モノマー（例えば、１，２，４−トリビニルシクロヘキサン）、フタル酸の二官能エステル（例えば、フタル酸ジアリル）、多価不飽和脂肪族モノマー（例えば、イソプレン、ブタジエン、１，５−ヘキサジエン、１，５，９−デカトリエン、１，９−デカジエン、１，５−ヘプタジエン）、ポリアルケニルエーテル（例えば、トリアリペンタエリスリトール、ジアリルペンタエリスリトール、ジアリルスクロース、オクタリスクロース、トリメチロールプロパンジアリエーテル）、多価アルコールまたは多価酸の多価不飽和エステル（例えば、１，６−ヘキサンジオールジ（メタ）アクリレート、テトラメチレントリ（メタ）アクリレート、アクリル酸アリル、イタコン酸ジアリル、フマル酸ジアリル、マレイン酸ジアリル、トリメチロールプロパントリ（メタ）アクリレート、トリメチロールプロパンジ（メタ）アクリレート、ポリエチレングリコールジ（メタ）アクリレート）、アルキレンビスアクリルアミド（例えば、メチレンビスアクリルアミド、プロピレンビスアクリルアミド）、メチレンビスアクリルアミドのヒドロキシおよびカルボキシ誘導体（例えば、Ｎ，Ｎ’−ビスメチロールメチレンビスアクリルアミド）、ポリエチレングリコールジ（メタ）アクリレート（例えば、エチレングリコールジ（メタ）アクリレート、ジエチレングリコールジ（メタ）アクリレート、トリエチレングリコールジ（メタ）アクリレート）、ポリ不飽和シラン（例えば、ジメチルジビニルシラン、メチルトリビニルシラン、アリルジメチルビニルシラン、ジアリジメチルシラン（ｄｉａｌｌｙｄｉｍｅｔｈｙｌｓｉｌａｎｅ）、テトラビニルシラン）、多価不飽和スタンナン（例えば、テトラアリルスズ、ジアリルジメチルスズ）などを含む多価不飽和モノマー構成成分に由来するものを含み得る。
【００３５】
当業者は、本発明の沈降防止増粘ポリマーにおいて連鎖移動剤の任意の構造単位を提供するための適切な連鎖移動剤を選択することを知っているであろう。連鎖移動剤の構造単位には、様々なチオおよびジスルフィド含有化合物（例えば、Ｃ１−１８アルキルメルカプタン、メルカプトカルボン酸、メルカプトカルボン酸エステル、チオエステル、Ｃ１−１８アルキルジスルフィド、アリールジスルフィド、多官能チオール）、ホスファイトおよびヒホスファイト、ハロアルキル化合物（例えば、四塩化炭素、ブロモトリクロロメタン）、ならびに不飽和連鎖移動剤（例えば、アルファ−メチルスチレン）に由来するものが含まれ得る。
【００３６】
好ましくは、本発明の酸性水性クレンジング配合物は、（好ましくは０．１〜４重量％、より好ましくは０．５〜３．５重量％、さらにより好ましくは１〜３重量％、最も好ましくは１．５〜２．５重量％の）本発明による沈降防止増粘ポリマーと、（好ましくは２〜４０重量％、より好ましくは５〜３０重量％、さらにより好ましくは７．５〜２５重量％、最も好ましくは１０〜２０重量％の）アニオン性、非イオン性、両性イオン性界面活性剤、およびそれらの混合物からなる群から選択される界面活性剤と、（好ましくは０．０１〜２０重量％、より好ましくは０．０５〜１０重量％、さらにより好ましくは０．０７５〜７．５重量％、最も好ましくは０．１〜２重量％の）少なくとも１つの不溶性添加剤と、を含み、ここで、酸性水性クレンジング配合物は、＜５（好ましくは３．０〜４．９、より好ましくは３．５〜４．８、最も好ましくは３．７５〜４．７５）のｐＨを有する。
【００３７】
好ましくは、本発明の酸性水性クレンジング配合物は、注入可能な液体から注入不能なゲルまでの範囲のレオロジー特性を有し得る。
【００３８】
好ましくは、本発明の酸性水性クレンジング配合物は、＜５（好ましくは３．０〜４．９、より好ましくは３．５〜４．８、最も好ましくは３．７５〜４．７５）のｐＨを有する。好ましくは、本発明の酸性水性クレンジング配合物は、パーソナルケアクレンジング製品、ヘルスケアクレンジング製品、家庭用ケアクレンジング製品などであり得る。より好ましくは、本発明の酸性水性クレンジング配合物は、パーソナルケアクレンジング配合物であり、ここで、パーソナルケアクレンジング配合物は、＜５（好ましくは３．０〜４．９、より好ましくは３．５〜４．８、最も好ましくは３．７５〜４．７５）のｐＨを有する。より好ましくは、本発明の酸性水性クレンジング配合物は、ボディウォッシュおよびシャンプーからなる群から選択されるパーソナルケアクレンジング配合物であり、ここで、パーソナルケアクレンジング配合物は、＜５（好ましくは３．０〜４．９、より好ましくは３．５〜４．８、最も好ましくは３．７５〜４．７５）のｐＨを有する。最も好ましくは、本発明の酸性水性クレンジング配合物は、シャンプーであり、ここで、シャンプーは、＜５（好ましくは３．０〜４．９、より好ましくは３．５〜４．８、最も好ましくは３．７５〜４．７５）のｐＨを有する。
【００３９】
好ましくは、本発明の酸性水性クレンジング配合物は、０．１〜４重量％の本発明の沈降防止増粘ポリマーを含む。より好ましくは、本発明の酸性水性クレンジング配合物は、０．５〜３．５重量％の本発明の沈降防止増粘ポリマーを含む。さらにより好ましくは、本発明の酸性水性クレンジング配合物は、１〜３．０重量％の本発明の沈降防止増粘ポリマーを含む。最も好ましくは、本発明の酸性水性クレンジング配合物は、１．５〜２．５重量％の本発明の沈降防止増粘ポリマーを含む。
【００４０】
好ましくは、本発明の酸性水性クレンジング配合物は、０．１〜４重量％（好ましくは０．５〜３．５重量％、より好ましくは１〜３．０重量％、最も好ましくは１．５〜２．５重量％）の本発明の沈降防止増粘ポリマーを含み、ここで、沈降防止増粘ポリマーは、（ａ）４０〜７４．５重量％（好ましくは４５〜６９．５重量％、より好ましくは５０〜６５重量％、最も好ましくは５５〜６１重量％）のＣ１−４アクリル酸アルキル（好ましくはＣ２−４アクリル酸アルキル、より好ましくはＣ２−３アクリル酸アルキル、最も好ましくはアクリル酸エチル）の構造単位と、（ｂ）２０〜５０重量％（好ましくは２５〜４５重量％、より好ましくは２５〜４０重量％、最も好ましくは３０〜３５重量％）のメタクリル酸の構造単位と、（ｃ）０．２〜＜５重量％（好ましくは０．５〜３重量％、より好ましくは０．７５〜２．０重量％、最も好ましくは０．７５〜１．５重量％）の２−アクリルアミド−２−メチルプロパンスルホン酸（ＡＭＰＳ）の構造単位と、（ｄ）５〜２５重量％（好ましくは７．５〜２２．５重量％、より好ましくは１０〜２０重量％、最も好ましくは１２．５〜１８重量％）の以下の構造を有する特殊な関連モノマーの構造単位であって、
【化９】
2021501812.tif 000011
式中、Ｒ１は直鎖飽和Ｃ１０−２４アルキル基であり、Ｒ２は水素またはメチル基であり（好ましくはＲ２はメチル基である）、ｎは平均２０〜２８であるが、但し、特殊な関連モノマーの構造単位（ｄ）が、（ｉ）単一の特殊な関連モノマー（好ましくはＲ１が直鎖飽和Ｃ１２アルキル基、直鎖飽和Ｃ１８アルキル基、および直鎖飽和Ｃ２２アルキル基からなる群から選択される、単一の特殊な関連モノマー、より好ましくはＲ１が直鎖飽和Ｃ１２アルキル基および直鎖飽和Ｃ１８アルキル基からなる群から選択される、単一の特殊な関連モノマー）、（ｉｉ）Ｒ１がそれぞれ、直鎖飽和Ｃ１２および直鎖飽和Ｃ１８アルキル基である、２つの特殊な関連モノマー、または（ｉｉｉ）Ｒ１がそれぞれ、直鎖飽和Ｃ１８アルキル基および直鎖飽和Ｃ２２アルキル基である、２つの特殊な関連モノマーのうちの１つに由来していることを条件とする、特殊な関連モノマーの構造単位と、（ｅ）０〜１重量％（好ましくは０〜０．１重量％、より好ましくは０〜０．０１重量％、最も好ましくは０）のアクリル酸の構造単位と、（ｆ）０〜２重量％（好ましくは０〜０．１重量％、より好ましくは０〜０．００１重量％、最も好ましくは０）の多エチレン性不飽和架橋モノマーまたは連鎖移動剤の構造単位と、を含み、ここで、構造単位（ａ）〜（ｆ）の重量百分率の合計は、沈降防止増粘ポリマーの１００重量％に等しい（好ましくは、ここで、沈降防止増粘ポリマーは、５，０００，０００〜４００，０００，０００（より好ましくは２５，０００，０００〜３００，０００，０００、最も好ましくは１７５，０００，０００〜２７５，０００，０００）ダルトンの重量平均分子量を有する）。
【００４１】
好ましくは、本発明の酸性水性クレンジング配合物で使用される界面活性剤は、化粧品として許容される界面活性剤の群から選択される。より好ましくは、本発明の酸性水性クレンジング配合物で使用される界面活性剤は、アニオン性界面活性剤、非イオン性界面活性剤、両性イオン性界面活性剤、およびそれらの混合物からなる群から選択される。
【００４２】
好ましくは、本発明の酸性水性クレンジング配合物は、２〜４０重量％のアニオン性、非イオン性、両性イオン性界面活性剤、およびそれらの混合物からなる群から選択される界面活性剤を含む。より好ましくは、本発明の酸性水性クレンジング配合物は、５〜３０重量％のアニオン性、非イオン性、両性イオン性界面活性剤、およびそれらの混合物からなる群から選択される界面活性剤を含む。さらにより好ましくは、本発明の酸性水性クレンジング配合物は、７．５〜２５重量％のアニオン性、非イオン性、両性イオン性界面活性剤、およびそれらの混合物からなる群から選択される界面活性剤を含む。最も好ましくは、本発明の酸性水性クレンジング配合物は、１０〜２０重量％のアニオン性、非イオン性、両性イオン性界面活性剤、およびそれらの混合物からなる群から選択される界面活性剤を含む。
【００４３】
好ましくは、本発明の酸性水性クレンジング配合物で使用されるアニオン性界面活性剤は、化粧品として許容されるアニオン性界面活性剤の群から選択される。好ましくは、本発明の酸性水性クレンジング配合物で使用されるアニオン性界面活性剤は、硫酸アルキル；硫酸アルキルエーテル；スルホン酸アルキル置換アリール；コハク酸アルキル；スルホコハク酸アルキル；サルコシン酸アルキル；スルホン酸α−オレフィン；それらのナトリウム、マグネシウム、アンモニウム、エタノールアミン、ジエタノールアミン、およびトリエタノールアミン塩；ならびにそれらの混合物からなる群から選択される。より好ましくは、本発明の酸性水性クレンジング配合物で使用されるアニオン性界面活性剤は、Ｃ８−１８硫酸アルキル；Ｃ８−１８硫酸アルキル（ＥＯ）ｎ（ＰＯ）ｍ（式中、ｎおよびｍは独立して０〜１０であり、ｎ＋ｍは１〜１０（好ましくは２〜３）である）；Ｃ８−１８スルホン酸アルキル置換アリール；Ｃ８−１８コハク酸アルキル；Ｃ８−１８スルホコハク酸アルキル；Ｃ８−１８サルコシン酸アルキル；スルホン酸α−オレフィン；それらのナトリウム、マグネシウム、アンモニウム、エタノールアミン、ジエタノールアミン、およびトリエタノールアミン塩；ならびにそれらの混合物からなる群から選択される。さらにより好ましくは、本発明の酸性水性クレンジング配合物で使用されるアニオン性界面活性剤は、ラウリル硫酸ナトリウム、オクタデシルコハク酸ナトリウム、ラウリルスルホコハク酸アンモニウム、ラウリル硫酸アンモニウム、ラウリルエーテル硫酸アンモニウム、ドデシルベンゼンスルホン酸ナトリウム、ドデシルベンゼンスルホン酸トリエタノールアミン、Ｎ−ラウリルサルコシン酸ナトリウム、およびそれらの混合物からなる群から選択される。まださらにより好ましくは、本発明の酸性水性クレンジング配合物で使用されるアニオン性界面活性剤は、ラウリル硫酸ナトリウム、ラウリル硫酸ナトリウム（ＥＯ）２、ラウリル硫酸ナトリウム（ＥＯ）３、ラウリル硫酸アンモニウム、ラウリル硫酸アンモニウム（ＥＯ）、ラウリル硫酸アンモニウム（ＥＯ）２、硫酸アンモニウム（ＥＯ）３、ドデシルベンゼンスルホン酸トリエタノールアミン、およびそれらの混合物からなる群から選択される。
【００４４】
好ましくは、本発明の酸性水性クレンジング配合物で使用される非イオン性界面活性剤は、化粧品として許容される非イオン性界面活性剤の群から選択される。好ましくは、本発明の酸性水性クレンジング配合物で使用される非イオン性界面活性剤は、ポリオキシアルキレン界面活性剤、ポリアルキレングリコールエステル、多価アルコールの脂肪酸エステルのポリオキシエチレン誘導体、ポリアルコキシル化多価アルコールの脂肪酸エステル、ポリアルコキシル化天然油脂、ポリアルキレンオキシドブロックコポリマー、アルキルポリグルコシド、スクロースエステル、およびそれらの混合物からなる群から選択される。より好ましくは、使用される非イオン性界面活性剤は、ポリオキシアルキレン界面活性剤から選択される。最も好ましくは、使用される非イオン性界面活性剤は、ポリオキシエチレン界面活性剤から選択される。好ましいポリオキシエチレン界面活性剤は、アルコールアルコキシレート、アルキルフェノールアルコキシレート、およびそれらの混合物からなる群から選択される。好ましいアルコールアルコキシレートには、例えば、アルコールエトキシレートおよびアルコールプロポキシレートが含まれる。より好ましい非イオン性界面活性剤には、以下の式に適合するアルコールエトキシレートからなる群から選択される非イオン性界面活性剤が含まれ、
Ｒ２−（ＯＣＨ２ＣＨ２）ｗＯＨ
式中、Ｒ２はＣ１０−３０アルキル基（好ましくはＣ１２−２６アルキル基、より好ましくはＣ１２−２０アルキル基、最も好ましくはＣ１２−１８アルキル基）であり、ｗは１０〜２００（好ましくは１０〜１６０、より好ましくは１２〜１４０、最も好ましくは２０〜１００）の平均値を有する。さらにより好ましい非イオン性界面活性剤には、以下の式に適合するラウリルアルコールのポリエチレングリコールエーテル
ＣＨ３（ＣＨ２）１０ＣＨ２（ＯＣＨ２ＣＨ２）ｘＯＨ
（式中、ｘは１０〜３０（好ましくは１２〜２６、より好ましくは１５〜２５、最も好ましくは２３）の平均値を有する）、以下の式に適合するセチルアルコールのポリエチレングリコールエーテル
ＣＨ３（ＣＨ２）１４ＣＨ２（ＯＣＨ２ＣＨ２）ｙＯＨ
（式中、ｙは１０〜３０（好ましくは１２〜２６、より好ましくは１５〜２５、最も好ましくは２０）の平均値を有する）、以下の式に適合するステアリルアルコールのポリエチレングリコールエーテル
ＣＨ３（ＣＨ２）１６ＣＨ２（ＯＣＨ２ＣＨ２）ｚＯＨ
（式中、ｚは１０〜１６０（好ましくは６０〜１４０、より好ましくは８０〜１２０、最も好ましくは１００）の平均値を有する）、およびそれらの混合物からなる群から選択される非イオン性界面活性剤が含まれる。
【００４５】
好ましくは、本発明の酸性水性クレンジング配合物で使用される両性イオン性界面活性剤は、化粧品として許容される両性イオン性界面活性剤の群から選択される。好ましくは、本発明の酸性水性クレンジング配合物で使用される両性イオン性界面活性剤は、アルキルアミンオキシド、アルキルベタイン、アルキルアミドプロピルベタイン、アルキルアルカノールアミド、アルキルジアルカノールアミド、アルキルスルホベタイン、アルキルグリシネート、アルキルカルボキシグリシネート、およびそれらの混合物からなる群から選択される。より好ましくは、本発明の酸性水性クレンジング配合物で使用される両性イオン性界面活性剤は、Ｃ８−１８アルキルアミンオキシド、Ｃ８−１８アルキルベタイン、Ｃ８−１８アルキルアミドプロピルベタイン、Ｃ８−１８アルキルアルカノールアミド、Ｃ８−１８アルキルジアルカノールアミド、Ｃ８−１８アルキルスルホベタイン、Ｃ８−１８アルキルグリシネート、Ｃ８−１８アルキルカルボキシグリシネート、およびそれらの混合物からなる群から選択される。好ましい両性イオン性界面活性剤には、ラウリルアミンオキシド、コカミドモノエタノールアミン、コカミドジエタノールアミン、コカミドプロピルベタイン、ココジメチルスルホプロピルベタイン、およびそれらの混合物が含まれる。
【００４６】
好ましくは、本発明の酸性水性クレンジング配合物は、任意の好適な量の少なくとも１つの不溶性添加剤を含む。より好ましくは、本発明の酸性水性クレンジング配合物は、０．０１〜２０重量％の少なくとも１つの不溶性添加剤を含む。より好ましくは、本発明の酸性水性クレンジング配合物は、０．０５〜１０重量％の少なくとも１つの不溶性添加剤を含む。さらにより好ましくは、本発明の酸性水性クレンジング配合物は、０．０７５〜７．５重量％の少なくとも１つの不溶性添加剤を含む。最も好ましくは、本発明の酸性水性クレンジング配合物は、０．１〜２重量％の少なくとも１つの不溶性添加剤を含む。
【００４７】
好ましくは、本発明の酸性水性クレンジング配合物で使用される少なくとも１つの不溶性添加剤は、様々な材料のいずれかから選択される。少なくとも１つの不溶性添加剤は、中空、多孔性、固体、またはそれらのいくつかの組み合わせであり得る。少なくとも１つの不溶性添加剤は、２相材料（例えば、第２の相を封入する第１の相）であり得る。少なくとも１つの不溶性添加剤は、無機、有機、天然、および合成の供給源のうちの少なくとも１つに由来し得る。
【００４８】
好ましくは、本発明の酸性水性クレンジング配合物で使用される少なくとも１つの不溶性添加剤は、シリコーン、気泡、フケ防止剤（例えば、亜鉛ピリチオン、２−ヒドロキシピリジン１−オキシド）、アーモンドミール、アプリコット種子粉末、大麦粉、トウモロコシ穂軸ミール、トウモロコシ穂軸粉末、コーン粉、コーンミール、コーンスターチ、オート麦ふすま、オート麦粉、オートミール、ピーチピット粉末、ピーカン殻粉末、ホホバ種子粉末、軽石、米ぬか、ライ麦粉、大豆粉、クルミ殻粉末、小麦ふすま、小麦粉、小麦スターチ、ルファ、粘土、フラー土、アルミナ、酸化アルミニウム、ケイ酸アルミニウム、パリゴルスカイト、オキシ塩化ビスマス、窒化ホウ素、炭酸カルシウム、リン酸カルシウム、ピロリン酸カルシウム、硫酸カルシウム、セルロースチョーク、キチン、珪藻土、リン酸二カルシウム、リン酸二カルシウム二水和物、水和シリカ、ヒドロキシアパタイト、カオリン、酸化鉄、三ケイ酸マグネシウム、酸化スズ、雲母、二酸化チタン、二酸化チタン被覆雲母、リン酸三カルシウムケイ酸ジルコニウム、微結晶セルロース、モンモリロナイト、ポリブチレン、ポリエチレン、ポリイソブチレン、ポリメチルスチレン、ポリプロピレン、ポリスチレン、ポリウレタン、ナイロン、ポリテトラフルオロエチレン、ポリハロゲン化オレフィン、ホホバ油の水素化生成物、ホホバ油のエステル交換生成物、絹雲母、シリカ、絹、重炭酸ナトリウム、ケイアルミン酸ナトリウム、合成ヘクトライト、タルク、ワックス（例えば、パラフィン、カルナウバ、オゾセライト、カンデリラ）、樹脂（例えば、尿素−ホルムアルデヒド）、およびそれらの混合物からなる群から選択される。より好ましくは、本発明の酸性水性クレンジング配合物で使用される少なくとも１つの不溶性添加剤は、シリコーン、気泡、フケ防止剤（例えば、亜鉛ピリチオン、２−ヒドロキシピリジン１−オキシド）、水和シリカ、酸化鉄、雲母、二酸化チタン、二酸化チタン被覆雲母、ホホバ油の水素化生成物、ホホバ油のエステル交換生成物、およびその混合物からなる群から選択される。最も好ましくは、本発明の酸性水性クレンジング配合物で使用される少なくとも１つの不溶性添加剤は、シリコーン、気泡、雲母、二酸化チタン、二酸化チタン被覆雲母、ホホバ油の水素化生成物、ホホバ油のエステル交換生成物、およびその混合物からなる群から選択される。
【００４９】
好ましくは、本発明の酸性水性クレンジング配合物で使用される少なくとも１つの不溶性添加剤は、シリコーンを含み、ここで、シリコーンは、不溶性の不揮発性の化粧品として許容されるシリコーンである。好ましくは、不溶性の不揮発性の化粧品として許容されるシリコーンは、アモジメチコン、シクロメチコン、ジメチコン、ジメチコノール、ヘキサデシルメチコン、ヘキサメチルジシロキサン、メチコン、フェニルジメチコン、ステアロキシジメチコンポリアルキルシロキサン、ポリアルキルアリールシロキサン、シリコーンガム（すなわち、２００，０００〜１，０００，０００ダルトンの重量平均分子量を有するポリジオルガノシロキサン）、ポリアミノ官能性シリコーン（例えば、Ｄｏｗ  Ｃｏｒｎｉｎｇ（登録商標）９２９）、およびそれらの混合物からなる群から選択される。より好ましくは、不溶性の不揮発性の化粧品として許容されるシリコーンは、アモジメチコン、シクロメチコン、ジメチコン、ジメチコノール、ヘキサデシルメチコン、メチコン、およびそれらの混合物からなる群から選択される。さらにより好ましくは、不溶性の不揮発性の化粧品として許容されるシリコーンは、アモジメチコン、ジメチコン、ジメチコノール、およびそれらの混合物からなる群から選択される。最も好ましくは、化粧品として許容されるシリコーンは、ジメチコノールを含む。
【００５０】
好ましくは、不溶性の不揮発性の化粧品として許容されるシリコーンは、任意に、予備形成された乳濁液として配合物に組み込まれる（例えば、両方ともＴｏｒａｙ  Ｓｉｌｉｃｏｎｅ  Ｃｏ．，Ｌｔｄ．から入手可能なＢＹ２２−００７、ＢＹ２２−０２２）。
【００５１】
好ましくは、本発明の酸性水性クレンジング配合物は、０．０１〜２０重量％の不溶性の不揮発性の化粧品として許容されるシリコーン（好ましくは、ここで、不溶性の不揮発性の化粧品として許容されるシリコーンは毛髪を整調する）を含む。さらにより好ましくは、本発明の酸性水性クレンジング配合物は、０．１〜１０重量％の不溶性の不揮発性の化粧品として許容されるシリコーン（好ましくは、ここで、不溶性の不揮発性の化粧品として許容されるシリコーンは毛髪を整調する）をさらに含む。まださらにより好ましくは、本発明の酸性水性クレンジング配合物は、０．１〜５重量％の不溶性の不揮発性の化粧品として許容されるシリコーン（好ましくは、ここで、不溶性の不揮発性の化粧品として許容されるシリコーンは毛髪を整調する）をさらに含む。さらにより好ましくは、本発明の酸性水性クレンジング配合物は、０．４〜２．５重量％の不溶性の不揮発性の化粧品として許容されるシリコーン（好ましくは、ここで、不溶性の不揮発性の化粧品として許容されるシリコーンは毛髪を整調する）をさらに含む。最も好ましくは、本発明の酸性水性クレンジング配合物は、０．５〜１．５重量％の不溶性の不揮発性の化粧品として許容されるシリコーン（好ましくは、ここで、不溶性の不揮発性の化粧品として許容されるシリコーンは毛髪を整調する）をさらに含む。
【００５２】
好ましくは、本発明の酸性水性クレンジング配合物で使用される少なくとも１つの不溶性添加剤は、第１の不溶性添加剤および第２の不溶性添加剤を含み、ここで、第１の不溶性添加剤は、シリコーンであり、シリコーンは、不溶性の不揮発性の化粧品として許容されるシリコーンであり、第２の不溶性添加剤は、気泡、フケ防止剤、アーモンドミール、アプリコット種子粉末、大麦粉、トウモロコシ穂軸ミール、トウモロコシ穂軸粉末、コーン粉、コーンミール、コーンスターチ、オート麦ふすま、オート麦粉、オートミール、ピーチピット粉末、ピーカン殻粉末、ホホバ種子粉末、軽石、米ぬか、ライ麦粉、大豆粉、クルミ殻粉末、小麦ふすま、小麦粉、小麦スターチ、ルファ、粘土、フラー土、アルミナ、酸化アルミニウム、ケイ酸アルミニウム、パリゴルスカイト、オキシ塩化ビスマス、窒化ホウ素、炭酸カルシウム、リン酸カルシウム、ピロリン酸カルシウム、硫酸カルシウム、セルロースチョーク、キチン、珪藻土、リン酸二カルシウム、リン酸二カルシウム二水和物、水和シリカ、ヒドロキシアパタイト、カオリン、酸化鉄、三ケイ酸マグネシウム、酸化スズ、雲母、二酸化チタン、二酸化チタン被覆雲母、リン酸三カルシウムケイ酸ジルコニウム、微結晶セルロース、モンモリロナイト、ポリブチレン、ポリエチレン、ポリイソブチレン、ポリメチルスチレン、ポリプロピレン、ポリスチレン、ポリウレタン、ナイロン、ポリテトラフルオロエチレン、ポリハロゲン化オレフィン、ホホバ油の水素化生成物、ホホバ油のエステル交換生成物、絹雲母、シリカ、絹、重炭酸ナトリウム、ケイアルミン酸ナトリウム、合成ヘクトライト、タルク、ワックス、樹脂、およびそれらの混合物からなる群から選択される。より好ましくは、第２の不溶性添加剤は、気泡、フケ防止剤（例えば、亜鉛ピリチオン、２−ヒドロキシピリジン１−オキシド）、水和シリカ、酸化鉄、雲母、二酸化チタン、二酸化チタン被覆雲母、ホホバ油の水素化生成物、ホホバ油のエステル交換生成物、およびその混合物からなる群から選択される。最も好ましくは、第２の不溶性添加剤は、気泡、雲母、二酸化チタン、二酸化チタン被覆雲母、ホホバ油の水素化生成物、ホホバ油のエステル交換生成物、およびそれらの混合物からなる群から選択される。
【００５３】
好ましくは、本発明の酸性水性クレンジング配合物は、水を含む。より好ましくは、本発明の酸性水性クレンジング配合物は、水を含み、ここで、水は、一般に、他の成分量が選択された後に、カチオン性ヘアケア乳濁液が１００重量％になるように酸性水性クレンジング配合物の残りの分含まれる。好ましくは、水は、本発明の酸性水性クレンジング配合物の５〜３９．９重量％（好ましくは１０〜３９．９重量％、より好ましくは１０〜２５重量％）を構成する。
【００５４】
好ましくは、本発明の酸性水性クレンジング配合物は、帯電防止剤、抗菌剤（例えば、フェノキシエタノール、安息香酸、ベンジルアルコール、安息香酸ナトリウム、ＤＭＤＭヒダントイン、２−エチルヘキシルグリセリルエーテル、イソチアゾリノン）、起泡剤、香料、染料、着色剤、防腐剤、増粘剤（例えば、多糖類、セルロース系ポリマー）、タンパク質、フィルム形成剤、リン酸エステル、カチオン性ポリマー（例えば、ポリクオタニウム−１０、ポリクオタニウム−２４、ポリクオタニウム−２７、ポリクオタニウム−６７、ポリクオタニウム−７２）、緩衝剤、ｐＨ調整剤（例えば、クエン酸、乳酸、塩酸、アミノエチルプロパンジオール、トリエタノールアミン、モノエタノールアミン、水酸化ナトリウム、水酸化カリウム、アミノ−２−メチル−１−プロパノール）、およびそれらの混合物のうちの少なくとも１つからなる群から選択される任意の成分をさらに含む。
【００５５】
好ましくは、本発明の酸性水性クレンジング配合物は、０〜１重量％の増粘剤をさらに含む。より好ましくは、本発明の酸性水性クレンジング配合物は、０．１〜１重量％の増粘剤をさらに含む。さらにより好ましくは、本発明の酸性水性クレンジング配合物は、０．２〜０．７重量％の増粘剤をさらに含む。最も好ましくは、本発明の酸性水性クレンジング配合物は、０．３〜０．５重量％の増粘剤をさらに含む。
【００５６】
好ましくは、本発明の酸性水性クレンジング配合物は、ｐＨ調整剤をさらに含む。より好ましくは、本発明の酸性水性クレンジング配合物は、ｐＨ調整剤をさらに含み、ここで、酸性水性クレンジング配合物は、＜５（好ましくは３．０〜４．９、より好ましくは３．５〜４．８、最も好ましくは３．７５〜４．７５）のｐＨを有する。最も好ましくは、本発明の酸性水性クレンジング配合物は、ｐＨ調整剤をさらに含み、酸性水性クレンジング配合物は、＜５（好ましくは３．０〜４．９、より好ましくは３．５〜４．８、最も好ましくは３．７５〜４．７５）のｐＨを有し、ここで、ｐＨ調整剤は、クエン酸、乳酸、塩酸、アミノエチルプロパンジオール、トリエタノールアミン、モノエタノールアミン、水酸化ナトリウム、水酸化カリウム、アミノ−２−メチル−１−プロパノール、およびそれらの混合物からなる群から選択される（より好ましくは、ここで、ｐＨ調整剤は、クエン酸、乳酸、塩酸、およびそれらの混合物からなる群から選択され、最も好ましくは、ｐＨ調整剤は塩酸である）。
【００５７】
本発明のいくつかの実施形態をこれより以下の実施例において詳細に説明する。
【００５８】
比較例ＰＣおよび実施例Ｐ１〜Ｐ２：ポリマー合成
比較例ＰＣおよび実施例Ｐ１〜Ｐ２の各々において、機械的攪拌装置、熱電対、コンデンサー、および窒素スパージを備えた３リットルの４つ口丸底フラスコに、４３０ｇの脱イオン水および４．７ｇのラウリル硫酸ナトリウムを投入した。次いで、フラスコを窒素でパージし、その内容物を９０℃に温めた。次いで、１０ｇの脱イオン水に溶解した０．３３ｇの過硫酸アンモニウムを含有する第１の開始剤溶液をフラスコに添加した。次いで、モノマー溶液を１０７分間かけてフラスコに徐々に投入し、ここで、モノマー溶液には、６３３ｇの脱イオン水、１８ｇのラウリル硫酸ナトリウム、ならびに各量（表１に記載）のアクリル酸エチル（ＥＡ）、メタクリル酸（ＭＡＡ）、２−アクリルアミド−２−メチルプロパンスルホン酸（ＡＭＰＳ）、および以下の構造
【化１０】
2021501812.tif 000012
（式中、Ｒ１は直鎖飽和Ｃ１０−２４アルキル基であり、ｎは平均２０〜２８である）を有する少なくとも１つの親油性修飾モノマー（ＬＩＰＯ）が含有されていた。モノマー溶液の投入と同時に開始して、４９ｇの脱イオン水中に０．３３ｇの硫酸アンモニウムを含有する第２の開始剤溶液を１１２分かけて徐々にフラスコに投入した。モノマー投入および第２の開始剤溶液の投入後、トランスファーラインを脱イオン水で洗い流し、続いて、フリーラジカル触媒および活性剤チェイス溶液を投入した。得られたラテックス生成物を回収した。非対称フローフィールドフローフラクショネーション（ＡＦ４）により測定された回収されたポリマーの重量平均分子量、ＭＷを表１に報告する。
【表１】
2021501812.tif 000013
【００５９】
比較例Ｂ１：ベース水性クレンジング配合物
比較例Ｂ１において、４８ｇのラウレス硫酸ナトリウムの２５％溶液（Ｓｔｅｏｌ  ＣＳ−２３０  ＳＬＥＳ）、５．３３ｇのコカミドプロピルベタインの３０％溶液（Ａｍｐｈｏｓｏｌ（商標）ＣＡ  ３０％）、２０ｇのポリクオタニウム−１０（ＵＣａｒｅ（商標）ＪＲ−３０Ｍ）の１．５％溶液、０．０８ｇのメチルクロロイソチアゾリノン／メチルイソチアゾリノン（Ｋａｔｈｏｎ（商標）、ＣＧ）を含有するベース配合物を提供し、次いで、塩酸を添加してベース配合物のｐＨを４．５に調整し、塩化ナトリウムを添加してベース配合物の粘度を５，０００〜８，０００ｃＰに調整した。
【００６０】
比較例ＦＣ１：水性クレンジング配合物
比較例ＦＣ１の水性クレンジング配合物を、０．２ｇのフローラパール（ホホバエステル）を比較例Ｂ１に従って調製したベース配合物に分散させることにより調製した。
【００６１】
実施例Ｆ１〜Ｆ４：水性クレンジング配合物
実施例Ｆ１〜Ｆ４の水性クレンジング配合物を、表２に記載される０．２ｇのフローラパール（ホホバエステル）およびポリマー生成物を比較例Ｂ１に従って調製したベース配合物に分散することにより調製し、ここで、水性クレンジング配合物は、２重量％の添加ポリマー生成物を含有した。
【表２】
2021501812.tif 000014
【００６２】
比較例Ｂ２：ベース水性クレンジング配合物
比較例Ｂ２において、ベース配合物を、ジメチコノール、ＴＥＡ−ドデシルベンゼンスルホネート（Ｔｈｅ  Ｄｏｗ  Ｃｈｅｍｉｃａｌ  Ｃｏｍｐａｎｙから入手可能なＤｏｗ  Ｃｏｒｎｉｎｇ  １７８４）を比較例Ｂ１に従って調製したベース配合物に添加することにより提供し、ここで、比較例Ｂ２の水性クレンジング配合物は、１．５重量％の添加ジメチコノール、ＴＥＡ−ドデシルベンゼンスルホネートを含有した。
【００６３】
比較例ＦＣ２：水性クレンジング配合物
比較例ＦＣ２の水性クレンジング配合物を、０．２ｇのフローラパール（ホホバエステル）を比較例Ｂ２に従って調製したベース配合物に分散させることにより調製した。
【００６４】
実施例Ｆ５：水性クレンジング配合物
実施例Ｆ５の水性クレンジング配合物を、０．２ｇのフローラパール（ホホバエステル）および実施例Ｐ２に従って調製したポリマー生成物を比較例Ｂ２に従って調製したベース配合物に分散させることにより調製し、ここで、実施例Ｆ５の水性クレンジング配合物は、２重量％の実施例Ｐ２のポリマー生成物を含有した。
【００６５】
熱老化安定性試験
比較例Ｂ１〜Ｂ２に従って調製したベース水性クレンジング配合物の各々、ならびに比較例ＦＣ１〜ＦＣ２および実施例Ｆ１〜Ｆ５に従って調製した水性クレンジング配合物の各々のアリコート（１ｍＬ）を、別個のキャップ付き１ｍＬの透明なガラスバイアル（８ｍｍｘ４３ｍｍ）に添加した。試料をアルミニウム製の試料ホルダーに入れ、４５℃で１０日間熱老化させた。次いで、熱老化させた試料のｐＨを４．５に調整した。
【００６６】
比較例ＦＣ１およびＦＣ２に従って調製した熱老化クレンジング配合物試料中のフローラパール（ホホバエステル）は、両方の場合において、液体−ガス界面近くの試料の表面に完全に上昇していることが観察された。さらに、液相分離は、比較例ＦＣ２のシリコーン含有試料でも明らかであった。
【００６７】
実施例Ｆ１〜Ｆ５に従って調製した熱老化クレンジング配合物試料中のフローラパール（ホホバエステル）はすべて、試料全体に安定して分散したままであることが観察された。さらに、実施例Ｆ５のシリコーン含有試料では液相分離は見られなかった。
【国際調査報告】
2021501812.tif 000017
2021501812.tif 000018